(57)【要約】【課題】線状部材を底壁に適切に引っ掛けることができ、且つ、線状部材が底壁に引っ掛かっている状態を適切に維持する。【解決手段】ボトムプレート（１）には、表皮材（３）を吊り込む際に吊り込み紐（４）が掛けられる突出部（１１）と、突出部（１１）に対する相対位置を変えることが可能な位置可変部（１２）と、が設けられている。位置可変部（１２）は、突出部（１１）と接触又は係合する第一位置と、突出部（１１）から外れる第二位置との間で移動することが可能である。突出部（１１）に対する位置可変部（１２）の相対位置が第一位置にある状態では、突出部（１１）の突出方向と交差する方向において位置可変部（１２）の少なくとも一部が突出部（１１）の側面よりも外側に張り出ている。【選択図】図３Ｂ
2018130402.tif 000002
【特許請求の範囲】
【請求項１】
クッション材と、該クッション材を支える底壁と、前記クッション材を覆う表皮材と、該表皮材を吊り込むために用いられる線状部材と、を有し、
前記底壁には、前記表皮材を吊り込む際に前記線状部材が掛けられる突出部と、該突出部に対する相対位置を変えることが可能な位置可変部と、が設けられており、
前記相対位置は、前記位置可変部が前記突出部と接触又は係合する第一位置と、前記位置可変部が前記突出部から外れる第二位置との間で変化可能であることを特徴とする乗物用シート。
【請求項２】
前記相対位置が前記第一位置にある状態では、前記突出部の突出方向と交差する方向において前記位置可変部の少なくとも一部が前記突出部の側面よりも外側に張り出ていることを特徴とする請求項１に記載の乗物用シート。
【請求項３】
前記底壁には穴が設けられており、該穴の内側に前記突出部が位置しており、
前記穴の縁の一部が前記突出部の縁をなしていることを特徴とする請求項２に記載の乗物用シート。
【請求項４】
前記穴の形状は、前記相対位置が前記第一位置にあるときに前記位置可変部と係合可能な形状であり、
前記位置可変部は、前記相対位置が前記第一位置にある際、前記位置可変部の縁が前記穴の縁の内側に位置した状態で前記突出部と隣接することを特徴とする請求項３に記載の乗物用シート。
【請求項５】
前記位置可変部の先端部には爪状の係合部が設けられており、
前記底壁には、前記穴と隣り合う位置に被係合部が設けられ、
前記相対位置が前記第一位置にある際、前記係合部が前記穴に入り込んで前記被係合部と係合することを特徴とする請求項４に記載の乗物用シート。
【請求項６】
前記位置可変部は、直線状に延びた第一延出部と、該第一延出部と交差する方向に延出した第二延出部と、を有し、前記第一延出部の延出方向における前記第一延出部の一端部を支点として回動することが可能であり、
前記相対位置が前記第一位置にある際、前記第二延出部の自由端が前記突出部の自由端と隣接することを特徴とする請求項３乃至５のいずれか一項に記載の乗物用シート。
【請求項７】
前記穴は、前記クッション材により近い位置にある第一開口と、前記クッション材からより離れた第二開口と、を有し、
前記位置可変部は、前記相対位置が前記第一位置にある際に前記第二開口に臨む表面を有し、
該表面は、前記相対位置が前記第一位置にあるときには前記第一開口と前記第二開口との間に位置していることを特徴とする請求項３乃至６のいずれか一項に記載の乗物用シート。
【請求項８】
前記位置可変部は、前記相対位置が前記第一位置にあるときに前記突出部に嵌まり込む嵌合部を有し、
前記突出部の先端部には、前記嵌合部が前記突出部に嵌まり込んだ状態で前記嵌合部の内縁の外側に突出する爪状の突起が設けられていることを特徴とする請求項２に記載の乗物用シート。
【請求項９】
前記底壁は、樹脂成形品であり、
前記位置可変部は、基端部と、前記嵌合部と、前記基端部と前記嵌合部との間を連結し折れ曲がり可能な折れ曲がり部とを有し、該折れ曲がり部が折れ曲がることで前記第二位置から前記第一位置に向かって移動し、
前記基端部のうち、前記突起と対向する部分には貫通孔が設けられていることを特徴とする請求項８に記載の乗物用シート。
【請求項１０】
前記線状部材は、先端部が輪状となった吊り込み紐であり、
前記突出部には前記吊り込み紐の先端部が掛けられることを特徴とする請求項１乃至９のいずれか一項に記載の乗物用シート。
【発明の詳細な説明】
【技術分野】
【０００１】
本発明は、乗物用シートに係り、クッション材を覆う表皮材を吊り込むために用いられる線状部材を底壁に掛けるための構造を有する乗物用シートに関する。
【背景技術】
【０００２】
乗物用シートにおいて、シート構成部品であるクッション材を表皮材で覆い当該表皮材を吊り込み紐等の線状部材によって吊り込むことは、既に知られている。また、表皮材を吊り込んだ状態の線状部材をシートの底壁に引っ掛ける構造も周知である。一例を挙げて説明すると、特許文献１に記載の二輪車用シートでは、底壁であるボトム部材に孔を穿設してフック部を形成し、このフック部に吊り込み紐を引っ掛けている。
【先行技術文献】
【特許文献】
【０００３】
【特許文献１】実開昭６２−１７６０８７号公報
【発明の概要】
【発明が解決しようとする課題】
【０００４】
ところで、表皮材を吊り込んだ状態の線状部材をシートの底壁に引っ掛ける構造では、当然ながら線状部材が底壁から外れないようにする必要がある。すなわち、線状部材が底壁に引っ掛かっている状態を良好に維持しなければならない。一方、線状部材を底壁に引っ掛ける際には、適切に引っ掛ける必要がある。
【０００５】
そこで、本発明は、上記の問題に鑑みてなされたものであり、その目的は、線状部材を底壁に適切に引っ掛けることができ、且つ、線状部材が底壁に引っ掛かっている状態を適切に維持することが可能な乗物用シートを提供することにある。
【課題を解決するための手段】
【０００６】
前記課題は、本発明の乗物用シートによれば、クッション材と、該クッション材を支える底壁と、前記クッション材を覆う表皮材と、該表皮材を吊り込むために用いられる線状部材と、を有し、前記底壁には、前記表皮材を吊り込む際に前記線状部材が掛けられる突出部と、該突出部に対する相対位置を変えることが可能な位置可変部と、が設けられており、前記相対位置は、前記位置可変部が前記突出部と接触又は係合する第一位置と、前記位置可変部が前記突出部から外れる第二位置との間で変化することが可能であることにより解決される。
【０００７】
上記のように構成された本発明の乗物用シートでは、底壁に突出部及び位置可変部が設けられている。突出部には、表皮材を吊り込む際に線状部材が掛けられる。位置可変部の突出部に対する相対位置は、位置可変部が突出部と接触又は係合する第一位置と、位置可変部が突出部から外れる第二位置との間で変化する。ここで、位置可変部が第二位置にある状態では、位置可変部は突出部から外れている。かかる状態において線状部材を突出部に引っ掛けるので、線状部材と位置可変部との干渉を抑えつつ、線状部材を適切に引っ掛けることが可能となる。また、位置可変部が第一位置にあるとき、突出部に掛けられた線状部材が突出部から外れるのを位置可変部によって規制することが可能である。これにより、線状部材が底壁の突出部に引っ掛かっている状態が適切に維持されるようになる。
【０００８】
また、上記の構成において、前記相対位置が前記第一位置にある状態では、前記突出部の突出方向と交差する方向において前記位置可変部の少なくとも一部が前記突出部の側面よりも外側に張り出ているとよい。
上記の構成では、相対位置が第一位置にあるとき、突出部の突出方向と交差する方向において位置可変部の少なくとも一部が突出部の側面よりも外側に張り出ている。このように位置可変部において突出部の側面よりも外側に張り出た部分が設けられることで、突出部に引っ掛かっている線状部材が突出部から抜けるのを回避し、線状部材が突出部に引っ掛かっている状態を良好に維持することが可能となる。
【０００９】
また、上記の構成において、前記底壁には穴が設けられており、該穴の内側に前記突出部が位置しており、前記穴の縁の一部が前記突出部の縁をなしていると、好適である。
上記の構成では、突出部の周りが空間（穴）となっているため、突出部に線状部材を掛け易くなる。
【００１０】
また、本発明の乗物用シートに関して好適な構成を述べると、前記穴の形状は、前記相対位置が前記第一位置にあるときに前記位置可変部と係合可能な形状であり、前記位置可変部は、前記第一位置にある際、前記位置可変部の縁が前記穴の縁の内側に位置した状態で前記突出部と隣接するとよい。
上記の構成では、相対位置が第一位置にあるとき、位置可変部は、穴と係合して穴の内側に収まる。このため、表皮材を吊り込むための構造をよりコンパクト化することが可能となる。また、位置可変部は、穴の内側に収まることで、穴の内側に位置する突出部と隣接するようになる。これにより、位置可変部は、相対位置が第一位置にあるときには突出部に接するようになる。この結果、線状部材が突出部に引っ掛かっている状態を、位置可変部によって良好に維持することが可能となる。
【００１１】
また、本発明の乗物用シートに関して好適な構成を述べると、前記位置可変部の先端部には爪状の係合部が設けられており、前記底壁には、前記穴と隣り合う位置に被係合部が設けられ、前記相対位置が前記第一位置にある際、前記係合部が前記穴に入り込んで前記被係合部と係合するとよい。
上記の構成では、位置可変部の先端部に爪状の係合部が設けられており、底壁において穴と隣り合う位置に被係合部が設けられている。そして、相対位置が第一位置にあるとき、係合部は、穴の一部分に入り込んで被係合部と係合する。これにより、位置可変部を第一位置に保持し易くなる。この結果、線状部材が突出部に引っ掛かっている状態を維持し易くなる。
【００１２】
また、本発明の乗物用シートに関して好適な構成を述べると、前記位置可変部は、直線状に延びた第一延出部と、該第一延出部と交差する方向に延出した第二延出部と、を有し、前記第一延出部の延出方向における前記第一延出部の一端部を支点として回動することが可能であり、前記位置可変部が前記第一位置にある際、前記第二延出部の自由端が前記突出部の自由端と隣接するとよい。
上記の構成では、位置可変部が略Ｔ字状の形状をなしている。このような形状の位置可変部であれれば、第一位置（換言すると、穴の内側）にある状態の位置可変部が穴から出にくくなる。これにより、位置可変部を第一位置に保持し易くなる。この結果、線状部材が突出部に引っ掛かっている状態を維持し易くなる。
【００１３】
また、本発明の乗物用シートに関して好適な構成を述べると、前記穴は、前記クッション材により近い位置にある第一開口と、前記クッション材からより離れた第二開口と、を有し、前記位置可変部は、前記位置可変部が前記第一位置にある際に前記第二開口に臨む表面を有し、該表面は、前記相対位置が前記第一位置にあるときには前記第一開口と前記第二開口との間に位置しているとよい。
上記の構成では、位置可変部の表面が第二開口よりも奥側（第一開口が位置する側）に位置するので、位置可変部の表面が第二開口から穴の外に出てしまう構成に比して、底壁のサイズをよりコンパクトにすることが可能となる。また、位置可変部の表面が第二開口よりも奥側に位置するため、位置可変部が意図せずに穴から出てしまる状況を回避し、突出部に対する位置可変部の相対位置が第一位置から外れてしまうのを抑制することが可能となる。
【００１４】
また、本発明の乗物用シートに関して好適な構成を述べると、前記位置可変部は、前記相対位置が前記第一位置にあるときに前記突出部に嵌まり込む嵌合部を有し、前記突出部の先端部には、前記嵌合部が前記突出部に嵌まり込んだ状態で前記嵌合部の内縁の外側に突出する爪状の突起が設けられているとよい。
上記の構成では、位置可変部が突出部に嵌まり込む嵌合部を有し、突出部の先端部には、嵌合部が突出部に嵌まり込んだ状態で嵌合部の内縁の外側に突出する爪状の突起が設けられている。これにより、嵌合部が突出部に嵌まり込んだ状態、すなわち、突出部に対する位置可変部の相対位置が第一位置にある状態を維持することが可能となる。これにより、線状部材が突出部に引っ掛かっている状態を良好に維持することが可能となる。
【００１５】
また、本発明の乗物用シートに関して好適な構成を述べると、前記底壁は、樹脂成形品であり、前記位置可変部は、基端部と、前記嵌合部と、前記基端部と前記嵌合部との間を連結し折れ曲がり可能な折れ曲がり部とを有し、該折れ曲がり部が折れ曲がることで前記第二位置から前記第一位置に向かって移動し、前記基端部のうち、前記突起と対向する部分には貫通孔が設けられているとよい。
上記の構成では、位置可変部の折れ曲がり部が折れ曲がることで位置可変部が第二位置から第一位置に向かって移動する。これにより、突出部に対する位置可変部の相対位置を容易に変えることが可能となる。
また、位置可変部の基端部において突出部に形成された突起と対向する部分には、貫通孔が設けられている。かかる構成であれば、底壁を金型にて成形する際に、突出部の突起と対向する部分が貫通孔となるように成形するので、比較的簡単な構成の金型を用いて上記の突起を有する底壁を成形することが可能となる。
【００１６】
また、本発明の乗物用シートに関して好適な構成を述べると、前記線状部材は、先端部が輪状となった吊り込み紐であり、前記突出部には前記吊り込み紐の先端部が掛けられるとよい。
上記の構成では、線状部材として吊り込み紐が用いられ、突出部には、輪状となった吊り込み紐の先端部が掛けられる。このような構成であれば、突出部に吊り込み紐を掛け易くなる。
【発明の効果】
【００１７】
本発明の乗物用シートによれば、表皮材を吊り込んだ状態の線状部材を、底壁の突出部に適切に引っ掛けることができ、且つ、線状部材が突出部に引っ掛かっている状態を良好に維持することが可能となる。
また、本発明の乗物用シートによれば、位置可変部において突出部の側面よりも外側に張り出た部分が、突出部に引っ掛かっている線状部材が突出部から抜けるのを阻止するため、線状部材が突出部に引っ掛かっている状態を良好に維持することが可能となる。
また、本発明の乗物用シートによれば、突出部の周りが空間（穴）となっているため、突出部に線状部材を掛け易くなる。
また、本発明の乗物用シートによれば、表皮材を吊り込むための構造をよりコンパクト化すると共に、線状部材が突出部に引っ掛かっている状態をより良好に維持することが可能となる。
また、本発明の乗物用シートによれば、突出部に対する位置可変部の相対位置が第一位置に維持され易くなり、結果として、線状部材が突出部に引っ掛かっている状態を維持し易くなる。
また、本発明の乗物用シートによれば、位置可変部が略Ｔ字状の形状をなしているため、第一位置（換言すると、穴の内側）にある状態の位置可変部が穴から出にくくなる。この結果、線状部材が突出部に引っ掛かっている状態を維持し易くなる。
また、本発明の乗物用シートによれば、位置可変部の表面が第一開口から穴の外に出てしまう構成に比して、底壁のサイズをよりコンパクトにすることが可能となる。また、位置可変部が意図せずに穴から出てしまう状況を回避することが可能となる。
また、本発明の乗物用シートによれば、位置可変部の嵌合部が突出部に嵌まり込んだ状態が適切に維持されるため、線状部材が突出部に引っ掛かっている状態をより良好に維持することが可能となる。
また、本発明の乗物用シートによれば、突出部に対する位置可変部の相対位置を容易に変えることが可能となる。また、突出部に爪状の突起が設けられている底壁を金型にて成形する際、比較的簡単な構成の金型を用いて成形することが可能となる。
また、本発明の乗物用シートによれば、先端部が輪状となった吊り込み紐を線状部材として用いることで、突出部に吊り込み紐を掛け易くなる。
【図面の簡単な説明】
【００１８】
【図１】本発明の一実施形態に係る乗物用シートの外観を示す図である。
【図２】図１のＸ−Ｘ断面を示す図である。
【図３Ａ】吊り込み紐を引っ掛ける構造の第一例を示す図である（その１）。
【図３Ｂ】吊り込み紐を引っ掛ける構造の第一例を示す図である（その２）。
【図４Ａ】図３ＡのＸ―Ｘ断面を示す図である。
【図４Ｂ】図３ＢのＸ−Ｘ断面を示す図である。
【図４Ｃ】図３ＢのＹ−Ｙ断面を示す図である。
【図５Ａ】吊り込み紐を引っ掛ける構造の第二例を示す図である（その１）。
【図５Ｂ】吊り込み紐を引っ掛ける構造の第二例を示す図である（その２）
【図６Ａ】図５ＡのＸ−Ｘ断面を示す図である。
【図６Ｂ】図５ＢのＸ−Ｘ断面を示す図である。
【図７Ａ】吊り込み紐を引っ掛ける構造の第三例を示す図である（その１）。
【図７Ｂ】吊り込み紐を引っ掛ける構造の第三例を示す図である（その２）。
【図８Ａ】図７ＡのＸ−Ｘ断面を示す図である。
【図８Ｂ】図７ＢのＸ−Ｘ断面を示す図である。
【図９】吊り込み紐を引っ掛ける構造の第四例を示す図である。
【図１０】図９のＸ−Ｘ断面を示す図である。
【発明を実施するための形態】
【００１９】
以下、本発明の乗物用シートについて複数の実施例（第一例〜第四例）を挙げて説明することとする。ただし、以下の実施形態は、本発明の理解を容易にするためのものであり、本発明を限定するものではない。すなわち、本発明は、その趣旨を逸脱することなく、変更、改良され得ると共に、本発明にはその等価物が含まれることは勿論である。
【００２０】
なお、以下では、乗物用シートとして、二輪車用のシート（以下、着座シートＳ）を例に挙げて説明することとする。ただし、本発明の乗物用シートは、二輪車用のシートに限定されるものではなく、二輪車以外の乗物（例えば、自動車、航空機及び船舶）に搭載されるシートにも適用可能である。
【００２１】
また、以下に説明するシート各部の状態や位置等については、特に断る場合を除き、着座シートＳが搭載された二輪車が水平面に対して直立しているときの内容となっている。ちなみに、以下の説明において、「前後方向」とは、着座シートＳの前後方向（厳密には、着座シートＳに着座している乗員から見た前後方向）のことである。また、「シート幅方向」とは、着座シートＳの横幅方向のことであり、着座シートＳに着座している乗員から見た左右方向と一致する方向である。また、「上下方向」とは、着座シートＳが搭載された二輪車の車高方向であり、後述するボトムプレート１の厚み方向と一致する方向である。
【００２２】
＜＜着座シートの基本構成＞＞
各実施例に係る着座シートＳは、吊り込み紐を引っ掛ける構造を除く基本構成において、共通している。そこで、各実施例について説明するにあたり、図１及び図２を参照しながら着座シートＳの基本構成について説明することとする。ちなみに、図２には、複数の実施例の代表例として、第一例に係る着座シートＳの断面を図示している。
【００２３】
着座シートＳは、図１に図示した外観をなす鞍乗り型のシートである。吊り込み紐を引っ掛ける構造を除く着座シートＳの基本構成は、一般的な二輪車用のシートと同様である。具体的に説明すると、着座シートＳは、図２に示すように、樹脂成形品からなるボトムプレート１と、ウレタンフォーム等の発泡材からなるクッション材２と、ビニールレザー等の皮革材料からなる表皮材３と、を構成要素として有する。ボトムプレート１は、底壁に相当し、上面にクッション材２を載せることでクッション材２を支持する。なお、ボトムプレート１は、所定形状の金型（不図示）に樹脂を流し込むことで形成される。
【００２４】
表皮材３は、クッション材２を覆うように張られている。また、表皮材３の一部は、図２に示すように、クッション材２に形成された吊り込み溝２ａに吊り込まれている。より具体的に説明すると、同図に示すように、着座シートＳでは表皮材３が重ね合わせられている部分が存在し、当該部分では、表皮材３の端部同士が圧着されている。圧着された表皮材３の端部は、上下方向においてクッション材２を貫通している吊り込み溝２ａに吊り込まれている。また、圧着された表皮材３の端部には、紐状の中継部材５が縫合されている。この中継部材５は、表皮材３を吊り込み溝２ａに吊り込む際に利用される紐状又は帯状の部材であり、トリムコードやメッシュサスペンダーによって構成される。
【００２５】
また、中継部材５の下端部には、吊り込み紐４の末端部が取り付けられている。吊り込み紐４は、表皮材３を吊り込み溝２ａに吊り込む際に利用される線状部材である。この吊り込み紐４は、圧着された表皮材３の端部を吊り込む際に下方に引っ張られる。また、吊り込み紐４の先端部４ａ（中継部材５に取り付けられている側とは反対側の端部）は、輪状、すなわちループ状をなしている。
【００２６】
また、ボトムプレート１において吊り込み溝２ａの直下位置に位置する部分には、図２に示すように、ボトムプレート１を貫通する穴１ａが設けられている。この穴１ａにはループ状をなす吊り込み紐４の先端部４ａが通され、ボトムプレート１の所定箇所（具体的には、後述する突出部１１、２１、３１、４１）に引っ掛けられる。
【００２７】
＜＜第一例について＞＞
次に、吊り込み紐４を引っ掛ける構造の第一例について、図３Ａ、図３Ｂ、図４Ａ乃至図４Ｃを参照しながら説明する。なお、図３Ａ及び図３Ｂは、突出部１１及び位置可変部１２をボトムプレート１の下側から見た図である。図４Ａは、図３ＡのＸ―Ｘ断面を示す図であり、図４Ｂは、図３ＢのＸ−Ｘ断面を示す図であり、図４Ｃは、図３ＢのＹ−Ｙ断面を示す図である。
【００２８】
第一例において、ボトムプレート１には、吊り込み紐４の先端部４ａを通すための穴１ａとして、図３Ａに図示した平面視で略Ｆ字状の穴が形成されている。そして、図３Ａに示すように、穴１ａの縁には凸型の突出部１１と、略Ｔ字状の位置可変部１２と、が設けられている。突出部１１及び位置可変部１２は、ボトムプレート１に設けられており、ボトムプレート１を成形する際にボトムプレート１の本体部分（突出部１１及び位置可変部１２を除く部分）と一体的に成形される。
【００２９】
突出部１１は、表皮材３を吊り込む際に吊り込み紐４の先端部４ａが掛けられる部分であり、第一例では上下方向と交差する方向に突出している。より詳しく説明すると、第一例では、図３Ａに示すように穴１ａの内側に突出部１１が位置している。そして、穴１ａの縁の一部が突出部１１の縁をなしている。つまり、第一例において、突出部１１は、穴１ａの縁部の一部をなしており、図３Ａに示すように、穴１ａの縁部において入り組んだ箇所に形成されている。
【００３０】
そして、図３Ａに示すように、表皮材３を吊り込んだ状態の吊り込み紐４の先端部４ａは、穴１ａを通り、突出部１１の自由端から突出部１１に引っ掛けられる。
【００３１】
位置可変部１２は、穴１ａの縁部において突出部１１からずれた位置（図３Ａに図示の構成では、略９０度ずれた位置）に設けられた部分である。また、位置可変部１２は、可動であり、移動することで突出部１１に対する相対位置を変えることが可能である。具体的に説明すると、第一例に係る位置可変部１２は、前述したように略Ｔ字状をなしており、図３Ａ及び図３Ｂに示すように、直線状に延びた第一延出部１２ａと、第一延出部１２ａと交差する方向に延出した第二延出部１２ｂと、を有する。
【００３２】
第一延出部１２ａは、比較的長く延出しており、穴１ａの縁から延出している。また、第一延出部１２ａの根元部分（延出方向一端部）は、他の部分よりも薄肉となっている。これにより、第一延出部１２ａは、根元部分を支点として回動することが可能である。換言すると、位置可変部１２は、第一延出部１２ａの根元部分を支点としてヒンジ状に動くことが可能である。
【００３３】
第二延出部１２ｂは、第一延出部１２ａの延出方向中央部から延出している。なお、第二延出部１２ｂの延出量（延出方向における長さ）は、第一延出部１２ａの延出量よりも短い。一方、第二延出部１２ｂの横幅（延出方向と交差する方向の長さ）は、第一延出部１２ａの横幅より若干長く、また、突出部１１の横幅よりも長くなっている。
【００３４】
以上のような構成の位置可変部１２は、前述したように、第一延出部１２ａの根元部分を支点としてヒンジ状に動くことが可能である。そして、位置可変部１２が移動することにより、突出部１１に対する位置可変部１２の相対位置（以下、単に相対位置という）は、図３Ｂや図４Ｃに図示した第一位置と、図３Ａや図４Ａに図示した第二位置と、の間で変化する。ここで、第一位置とは、位置可変部１２が突出部１１と接触又は係合する位置である。また、第二位置とは、位置可変部１２が突出部１１から外れる位置である。
【００３５】
なお、第一例において、第一位置は、図３Ｂに示すように、位置可変部１２の縁が穴１ａの縁の内側に位置し、かつ、第二延出部１２ｂの自由端が突出部１１の自由端と隣接する位置である。より詳しく説明すると、第一例において、穴１ａの形状は、相対位置が第一位置にあるときに位置可変部１２と係合可能な形状となっている。ここで、位置可変部１２と係合可能な形状とは、相対位置が第一位置にあるときに位置可変部１２の縁に沿うような形状である。
【００３６】
そして、第一例において位置可変部１２が第一位置まで移動すると、図３Ｂに示すように、穴１ａの縁のうち、第一延出部１２ａの根元部分の周辺を除く大部分が、位置可変部１２の縁に沿うようになる。換言すると、位置可変部１２は、相対位置が第一位置にあるときには穴１ａ内に収まるようになる。
【００３７】
また、第一例において、第二位置は、第二延出部１２ｂの自由端が突出部１１の自由端から離れ、図４Ａに示すように位置可変部１２全体が穴１ａの外側に抜け出る位置である。そして、位置可変部１２が第二位置にあるとき、吊り込み紐４の先端部４ａが突出部１１に対して着脱自在となる。すなわち、位置可変部１２が第二位置にあれば、吊り込み紐４の先端部４ａが突出部１１に容易に引っ掛けることが可能である。
【００３８】
一方、相対位置が第一位置にあるとき、図３Ｂ及び図４Ｃに示すように、第二延出部１２ｂの自由端が突出部１１の自由端と隣接（接触）している。ここで、前述したように、第二延出部１２ｂの横幅は、突出部１１よりも長くなっている。
【００３９】
したがって、第二延出部１２ｂの自由端が突出部１１の自由端と隣接している状態（換言すると、相対位置が第一位置にある状態）では、突出部１１の突出方向と交差する方向において第二延出部１２ｂの自由端側の端面が突出部１１の側面よりも外側に張り出すようになる。これにより、突出部１１に吊り込み紐４を引っ掛けた後に位置可変部１２を第二位置から第一位置まで移動させれば、突出部１１から吊り込み紐４を取り外そうとしても、吊り込み紐４が第二延出部１２ｂに係止されるようになる。つまり、吊り込み紐４を突出部１１に引っ掛けた後に相対位置を第一位置に保持することで、吊り込み紐４が突出部１１に引っ掛けられている状態を良好に維持することが可能となる。
【００４０】
なお、第一例では、図３Ａに示すように、第二延出部１２ｂの先端部（自由端部）には爪状の係合部１２ｃが設けられている。また、ボトムプレート１において穴１ａの近傍位置（厳密には、上下方向において穴１ａと隣り合う位置）には、略門型の被係合部１ｂが設けられている。この被係合部１ｂは、ボトムプレート１において穴１ａの直上位置に形成され、穴１ａを横断するように設けられている。そして、位置可変部１２が第一位置に向かって移動すると、爪状の係合部１２ｃが穴１ａに入り込み、図３Ａに示すように被係合部１ｂに係合するようになる。厳密に説明すると、同図に示すように、穴１ａの縁部と被係合部１ｂとの間に爪状の係合部１２ｃが挟み込まれるようになる。
【００４１】
以上のように係合部１２ｃが被係合部１ｂに係合することにより、位置可変部１２を第一位置に保持し易くなる。この結果、第一例では、吊り込み紐４が突出部１１に引っ掛かっている状態を維持することがより容易になる。
【００４２】
さらに、第一例では、相対位置が第一位置にあるとき、図３Ｂ及び図４Ｃに示すように、位置可変部１２の下面１２ｓが上下方向において穴１ａの下側開口１ｙよりも穴１ａの奥側（上側）に位置する。より詳しく説明すると、穴１ａは、図４Ａに示すように、クッション材２により近い位置にある第一開口としての上側開口１ｘと、クッション材２からより離れた第二開口としての下側開口１ｙとを有する。また、位置可変部１２は、相対位置が第一位置にあるときに下方を向く下面１２ｓを有する。この下面１２ｓは、相対位置が第一位置にある際に下側開口１ｙに臨む表面である。
【００４３】
そして、相対位置が第一位置にあるとき、位置可変部１２の下面１２ｓは、上下方向において上側開口１ｘと下側開口１ｙとの間に位置している。つまり、第一位置にある状態の位置可変部１２の下面１２ｓは、ボトムプレート１の本体部分の底面よりも上側に位置している。このような構成であれば、位置可変部１２の下面１２ｓが下側開口１ｙから穴１ａの外に出てしまう構成に比して、ボトムプレート１（厳密には、吊り込み紐４を吊り込むための構造）のサイズをよりコンパクト化することが可能となる。また、位置可変部１２の下面１２ｓがボトムプレート１の本体部分の底面よりも上側に位置しているので、位置可変部１２に誤って触れてしまうことで位置可変部１２が意図せずに穴１ａから出てしまう状況を回避することが可能となる。この結果、相対位置が第一位置から外れてしまうのを抑制することが可能となる。
【００４４】
また、第一例では、前述したように、穴１ａの形状が位置可変部１２と係合可能な形状となっている。このような構成は、ボトムプレート１を金型にて成形する際に有利となる。具体的に説明すると、第一例のボトムプレート１を金型内で成形する際、位置可変部１２の周りに位置可変部１２と対応する穴１ａが形成されるように成形する。このような構成のボトムプレート１であれば、いわゆる入れ子構造などの複雑な構造を要さずとも、比較的簡単な構成の金型によって成形することが可能となる。
【００４５】
＜＜第二例について＞＞
次に、吊り込み紐４を引っ掛ける構造の第二例について、図５Ａ、図５Ｂ、図６Ａ及び図６Ｂを参照しながら説明する。なお、図５Ａ及び図５Ｂは、突出部２１及び位置可変部２２をボトムプレート１の下側から見た図である。図６Ａは、図５ＡのＸ―Ｘ断面を示す図であり、図６Ｂは、図５ＢのＸ−Ｘ断面を示す図である。
【００４６】
第二例において、ボトムプレート１には、吊り込み紐４の先端部４ａを通すための穴１ａとして、図５Ａ及び図５Ｂに図示した平面視で円状の穴が形成されている。また、ボトムプレート１の底面のうち、穴１ａの脇に位置する部分には突出部２１が設けられている。また、突出部２１と隣り合う部分には位置可変部２２が設けられている。突出部２１及び位置可変部２２は、第一例に係る突出部１１及び位置可変部１２と同様の用途でボトムプレート１に設けられており、ボトムプレート１を成形する際にボトムプレート１の本体部分と一体的に成形される。
【００４７】
第二例において、突出部２１は、ボトムプレート１の底面から下方に突出している。また、突出部２１の先端部には、図６Ａ及び図６Ｂに示すように爪状の突起２１ａが形成されている。この突起２１ａは、突出部２１の外側面から外側に向かって突出している。なお、表皮材３を吊り込んだ状態の吊り込み紐４の先端部４ａは、穴１ａを通って突出部２１が配置された位置まで引き込まれ、突出部２１（厳密には、突起２１ａ寄りも根元に近い部分）に引っ掛けられる。
【００４８】
位置可変部２２は、図５Ａに示すように、ボトムプレート１において矩形状に刳り貫かれた矩形穴の内側に設けられている。また、位置可変部２２は、基端部２２ａと嵌合部２２ｂと折れ曲がり部２２ｃとを有する。基端部２２ａは、矩形穴の縁部から延出した部分である。嵌合部２２ｂは、位置可変部２２の先端部をなしており、その中央部には方形孔が形成されている。折れ曲がり部２２ｃは、位置可変部２２において基端部２２ａと嵌合部２２ｂとの間を連結している部分である。また、折れ曲がり部２２ｃは、可撓性を有し、折れ曲がり可能である。
【００４９】
そして、位置可変部２２は、折れ曲がり部２２ｃが折れ曲がることにより移動することが可能である。具体的に説明すると、折れ曲がり部２２ｃが折れ曲がる前の状態では、突出部２１に対する位置可変部２２の相対位置（以下、単に相対位置という）が、突出部１１から外れた位置にあり、具体的には、図５Ａに示すように位置可変部２２の縁部が矩形穴の内側に収まる位置にある。かかる位置は、第二例における第二位置に相当する。
【００５０】
一方、折れ曲がり部２２ｃが折れ曲がった状態では、相対位置が、突出部２１に位置可変部２２が係合する位置にあり、具体的には、図５Ｂに示すように、嵌合部２２ｂが突出部２１に嵌まり込む位置にある。かかる位置は、第二例における第一位置に相当する。
【００５１】
以上のように、第二例では、折れ曲がり部２２ｃが折れ曲がることで位置可変部２２が第二位置から第一位置に向かって移動する。そして、相対位置が第一位置にあるとき、位置可変部２２の嵌合部２２ｂが突出部２１の外側面を取り囲んでいる。つまり、相対位置が第一位置にある状態では、突出部２１の突出方向と交差する方向において嵌合部２２ｂが突出部２１の側面よりも外側に張り出すようになる。
【００５２】
以上の構成により、第二例では、突出部２１に吊り込み紐４を引っ掛けた後に位置可変部２２を第二位置から第一位置まで移動させれば、突出部２１から吊り込み紐４を取り外そうとしても、吊り込み紐４が嵌合部２２ｂに係止されるようになる。つまり、吊り込み紐４を突出部２１に引っ掛けた後に相対位置を第一位置に保持することで、吊り込み紐４が突出部２１に引っ掛けられている状態を良好に維持することが可能となる。
【００５３】
また、図５Ｂ及び図６Ｂから分かるように、嵌合部２２ｂが突出部２１に嵌まり込んだ状態では、突出部２１の先端部に設けられた爪状の突起２１ａが、嵌合部２２ｂの内縁の外側に突出している。これにより、嵌合部２２ｂが突出部２１に嵌まり込んだ状態、すなわち、位置可変部２２が第一位置にある状態を適切に維持することが可能となる。これにより、吊り込み紐４が突出部２１に引っ掛かっている状態をより良好に維持することが可能となる。
【００５４】
また、図６Ａに示すように、基端部２２ａのうち、爪状の突起２１ａと対向する部分（具体的には、突起２１ａの直上位置にある部分）には略矩形状の貫通孔２２ｄが形成されている。この貫通孔２２ｄが設けられていることで、第二例に係るボトムプレート１を金型にて成形する際に有利となる。具体的に説明すると、第二例に係るボトムプレート１を金型内で成形する際、突出部２１の先端部に爪状の突起２１ａが設けられるように成形する。一方、突起２１ａと対向する部分には貫通孔２２ｄが形成されるように成形する。このような構成のボトムプレート１であれば、いわゆる入れ子構造などの複雑な構造を要さずとも、比較的簡単な構成の金型によって成形することが可能となる。
【００５５】
＜＜第三例について＞＞
次に、吊り込み紐４を引っ掛ける構造の第三例について、図７Ａ、図７Ｂ、図８Ａ及び図８Ｂを参照しながら説明する。なお、図７Ａ及び図７Ｂは、突出部３１及び位置可変部３２をボトムプレート１の下側から見た図である。図８Ａは、図７ＡのＸ―Ｘ断面を示す図であり、図８Ｂは、図７ＢのＸ−Ｘ断面を示す図である。
【００５６】
第三例におけるボトムプレート１の構成は、位置可変部２２の配置位置に関する構成を除き、第二例におけるボトムプレート１の構成と共通する。具体的に説明すると、図７Ａ及び図７Ｂに示すように、ボトムプレート１には略方形状の穴１ａが形成されており、穴１ａの脇に位置する部分には、下方に突出した突出部３１が設けられている。表皮材３を吊り込んだ状態の吊り込み紐４の先端部４ａは、穴１ａを通って突出部３１が配置された位置まで引き込まれ、突出部３１に引っ掛けられる。
【００５７】
位置可変部３２は、突出部３１の根元部から延出している。かかる点において、第三例は、第二例と異なる。また、図７Ａ及び図７Ｂに示すように、位置可変部３２は、先端部に嵌合部３２ａを有する。そして、図７Ａ及び図７Ｂから分かるように、位置可変部３２は、その中途位置にて折れ曲がることで第二位置（図７Ａ及び図８Ａに図示の位置）から第一位置（図７Ｂ及び図８Ｂに図示の位置）に向かって移動する。
【００５８】
そして、突出部３１に対する位置可変部３２の相対位置が第一位置にある状態では、嵌合部３２ａが突出部３１に嵌まり込む。つまり、相対位置が第一位置にあるとき、嵌合部３２ａが突出部３１の外側面を取り囲んでおり、換言すると、突出部３１の突出方向と交差する方向において嵌合部３２ａが突出部３１の側面よりも外側に張り出すようになる。
【００５９】
以上の構成により、第三例においても、吊り込み紐４を突出部３１に引っ掛けた後に相対位置が第一位置に保持することで、吊り込み紐４が突出部３１に引っ掛けられている状態を良好に維持することが可能となる。
【００６０】
また、図７Ｂ及び図８Ｂから分かるように、嵌合部３２ａが突出部３１に嵌まり込んだ状態では、突出部３１の先端部に設けられた爪状の突起３１ａが、嵌合部３２ａの内縁の外側に突出している。これにより、嵌合部３２ａが突出部３１に嵌まり込んだ状態、すなわち、相対位置が第一位置にある状態を適切に維持することが可能となる。これにより、吊り込み紐４が突出部３１に引っ掛かっている状態をより良好に維持することが可能となる。
【００６１】
＜＜第四例について＞＞
次に、吊り込み紐４を引っ掛ける構造の第四例について、図９及び図１０を参照しながら説明する。なお、図９は、突出部４１及び位置可変部４２をボトムプレート１の下側から見た図である。図１０は、図９のＸ―Ｘ断面を示す図である。
【００６２】
第四例では、ボトムプレート１に形成された矩形状の穴１ａの周りに、可動な突出部４１と、固定された（移動不能な）位置可変部４２とが設けられている。すなわち、第四例に係る位置可変部４２は、突出部４１の移動に伴って突出部４１に対する相対位置が変わるものである。なお、突出部４１及び位置可変部４２は、ボトムプレート１を成形する際にボトムプレート１の本体部分と一体的に成形される。以下、第四例に係る突出部４１及び位置可変部４２の各々の構成について説明する。
【００６３】
突出部４１は、穴１ａの縁部から突出しており、図９に示すように、略Ｅ字状（厳密には、Ｅ字形を略９０度回転させた形状）をなす先端部を有する。そして、同図に示すように、略Ｅ字状の先端部中、中央位置で直線状に延出している部分（以下、突出部中央部分４１ａ）に、表皮材３を吊り込んだ状態の吊り込み紐４の先端部４ａが引っ掛けられる。
【００６４】
また、突出部４１の根元部分（穴１ａの縁部と隣り合う部分）は、他の部分よりも薄肉となっている。これにより、突出部４１は、根元部分を支点として回動することが可能である。換言すると、突出部４１は、その根元部分を支点としてヒンジ状に動くことが可能である。
【００６５】
位置可変部４２は、ボトムプレート１において穴１ａの近傍位置（厳密には、上下方向において穴１ａと隣り合う位置）にあり、穴１ａを横断するように設けられている。そして、前述したように、第四例では、位置可変部４２が移動不能である一方で、突出部４１が可動である。したがって、第四例では、突出部４１がヒンジ状に動くことにより、突出部４１に対する位置可変部４２の相対位置（以下、単に相対位置という）が変化する。
【００６６】
より詳しく説明すると、突出部４１が移動することで、相対位置は、第一位置と第二位置との間で変化する。第四例において、第一位置は、図９及び図１０に示すように突出部中央部分４１ａが位置可変部４２の下面に接触する位置である。なお、第四例において、相対位置が第一位置にあるとき、図９及び図１０に示すように、突出部４１の一部分が穴１ａの下側開口１ｙから穴１ａの外にはみ出している。
【００６７】
また、第二位置は、位置可変部４２が突出部４１から外れる位置であり、厳密には、突出部４１全体が穴１ａの外側に抜け出る位置である。
【００６８】
相対位置が第一位置にあるとき、図９に示すように、突出部中央部分４１ａが位置可変部４２の下面に当接している。ここで、突出部４１の下面の横幅は、突出部中央部分４１ａの横幅に対して十分長くなっている。したがって、相対位置が第一位置にある状態では、突出部４１の突出方向（厳密には、突出部中央部分４１ａ）と交差する方向において位置可変部４２の下面が突出部中央部分４１ａの側面よりも外側に張り出すようになる。これにより、突出部中央部分４１ａに吊り込み紐４を引っ掛けた後に突出部４１を位置可変部４２に近付くように動かして相対位置を第二位置から第一位置に変えれば、吊り込み紐４が突出部４１に引っ掛けられている状態を良好に維持することが可能となる。
【００６９】
なお、第四例では、図１０に示すように、突出部中央部分４１ａの自由端部には爪状の係合部４１ｂが設けられている。また、位置可変部４２には嵌合穴（不図示）が形成されている。そして、突出部４１が位置可変部４２に近付くように移動して相対位置が第一位置に代わると、爪状の係合部４１ｂが上記の嵌合穴に入り込むようになる。これにより、相対位置を第一位置に保持し易くなり、結果として、吊り込み紐４が突出部４１に引っ掛かっている状態を維持することがより容易になる。
【符号の説明】
【００７０】
１  ボトムプレート（底壁）
１ａ  穴
１ｂ  被係合部
１ｘ  上側開口（第一開口）
１ｙ  下側開口（第二開口）
２  クッション材
２ａ  吊り込み溝
３  表皮材
４  吊り込み紐（線状部材）
４ａ  先端部
５  中継部材
１１  突出部
１２  位置可変部
１２ａ  第一延出部
１２ｂ  第二延出部
１２ｃ  係合部
１２ｓ  下面（表面）
２１  突出部
２１ａ  突起
２２  位置可変部
２２ａ  基端部
２２ｂ  嵌合部
２２ｃ  折れ曲がり部
２２ｄ  貫通孔
３１  突出部
３１ａ  突起
３２  位置可変部
３２ａ  嵌合部
４１  突出部
４１ａ  突出部中央部分
４１ｂ  係合部
４２  位置可変部
Ｓ  着座シート
【図１】
2018130402.tif 000003
【図２】
2018130402.tif 000004
【図３Ａ】
2018130402.tif 000005
【図３Ｂ】
2018130402.tif 000006
【図４Ａ】
2018130402.tif 000007
【図４Ｂ】
2018130402.tif 000008
【図４Ｃ】
2018130402.tif 000009
【図５Ａ】
2018130402.tif 000010
【図５Ｂ】
2018130402.tif 000011
【図６Ａ】
2018130402.tif 000012
【図６Ｂ】
2018130402.tif 000013
【図７Ａ】
2018130402.tif 000014
【図７Ｂ】
2018130402.tif 000015
【図８Ａ】
2018130402.tif 000016
【図８Ｂ】
2018130402.tif 000017
【図９】
2018130402.tif 000018
【図１０】
2018130402.tif 000019